(57)【特許請求の範囲】
【請求項１】
アップリンク制御チャネルを送信するためのリソース判断に関係する第１のアップリンクパラメータを受信することと、ここにおいて、前記第１のアップリンクパラメータは、サービング基地局のための前記アップリンク制御チャネルの開始インデックスである、
前記アップリンク制御チャネルを送信するためのリソース判断に関係する第２のアップリンクパラメータを受信することと、ここにおいて、前記第２のアップリンクパラメータは、非サービング基地局のための前記アップリンク制御チャネルの新しい開始インデックスである、
第１のセルからデータ送信を受信することと、前記第１のセルは前記非サービング基地局に対応し、
前記第２のアップリンクパラメータに少なくとも部分的に基づいて前記アップリンク制御チャネルを送信するためのリソースを判断することと、
前記判断されたリソースを使用して前記アップリンク制御チャネルを送信することと
を備える、ワイヤレス通信の方法。
【請求項２】
前記リソースを判断することが前記第１のアップリンクパラメータにさらに基づく、請求項１に記載の方法。
【請求項３】
ダウンリンク制御チャネルを受信することをさらに備える、請求項１に記載の方法。
【請求項４】
前記ダウンリンク制御チャネルが第２のセルから受信され、前記第２のセルは前記サービング基地局に対応する、請求項３に記載の方法。
【請求項５】
前記第１のアップリンクパラメータがブロードキャスト送信を介して受信される、請求項１に記載の方法。
【請求項６】
前記アップリンク制御チャネルが少なくともＨ−ＡＲＱ応答を搬送する、請求項１に記載の方法。
【請求項７】
前記第２のアップリンクパラメータがＵＥ固有パラメータである、請求項１に記載の方法。
【請求項８】
前記リソースの前記判断は、前記アップリンク制御チャネルが前記第２のセルに関連する物理セル識別子（ＰＣＩ）とは別個に構成された仮想セル識別子に基づくときに実行される、請求項４に記載の方法。
【請求項９】
第１のセルから、アップリンク制御チャネルを受信するためのリソース判断に関係する第１のアップリンクパラメータを送信することと、ここにおいて、前記第１のアップリンクパラメータは、前記アップリンク制御チャネルの開始インデックスである、
前記第１のセルから少なくとも１つのユーザ機器（ＵＥ）に、前記アップリンク制御チャネルを受信するためのリソース判断に関係する第２のアップリンクパラメータを送信することと、ここにおいて、前記第２のアップリンクパラメータは、前記アップリンク制御チャネルの新しい開始インデックスである、
前記第１のセルからのデータ送信を実行することと、
前記第２のアップリンクパラメータに少なくとも部分的に基づいて前記アップリンク制御チャネルを受信するためのリソースを判断することと、
前記判断されたリソースを使用して前記アップリンク制御チャネルを受信することと、
を備え、
前記第１のアップリンクパラメータは、前記第１のセルが前記少なくとも１つのＵＥのサービング基地局に対応する場合の前記アップリンク制御チャネルの前記開始インデックスであり、前記第２のアップリンクパラメータは、前記第１のセルが前記少なくとも１つのＵＥの非サービング基地局に対応する場合の前記アップリンク制御チャネルの前記新しい開始インデックスである、ワイヤレス通信の方法。
【請求項１０】
前記リソースを判断することが前記第１のアップリンクパラメータにさらに基づく、請求項９に記載の方法。
【請求項１１】
ダウンリンク制御チャネルを送信することをさらに備える、請求項９に記載の方法。
【請求項１２】
前記ダウンリンク制御チャネルが第２のセルから送信され、前記第２のセルは前記少なくとも１つのＵＥの前記サービング基地局に対応する、請求項１１に記載の方法。
【請求項１３】
前記第１のアップリンクパラメータがブロードキャスト送信を介して受信される、請求項９に記載の方法。
【請求項１４】
前記アップリンク制御チャネルが少なくともＨ−ＡＲＱ応答を搬送する、請求項９に記載の方法。
【請求項１５】
前記第２のアップリンクパラメータがＵＥ固有パラメータである、請求項９に記載の方法。
【請求項１６】
前記少なくとも１つのＵＥのために識別された仮想セルを構成することをさらに備え、前記識別された仮想セルが、前記第２のセルに関連する物理セル識別子とは別個に構成された、請求項１２に記載の方法。
【請求項１７】
前記第１のアップリンクパラメータと、第２のＵＥのためのダウンリンク制御チャネルに関連するパラメータとに基づいて、前記アップリンク制御チャネルを受信するための第２のリソースを判断することをさらに備える、請求項９に記載の方法。
【請求項１８】
前記判断された第２のリソースが、前記第２のアップリンクパラメータに少なくとも部分的に基づいて判断された前記リソースに直交する、請求項１７に記載の方法。
【請求項１９】
アップリンク制御チャネルを送信するためのリソース判断に関係する第１のアップリンクパラメータを受信するための手段と、ここにおいて、前記第１のアップリンクパラメータは、サービング基地局のための前記アップリンク制御チャネルの開始インデックスである、
前記アップリンク制御チャネルを送信するためのリソース判断に関係する第２のアップリンクパラメータを受信するための手段と、ここにおいて、前記第２のアップリンクパラメータは、非サービング基地局のための前記アップリンク制御チャネルの新しい開始インデックスである、
第１のセルからデータ送信を受信するための手段と、前記第１のセルは前記非サービング基地局に対応し、
前記第２のアップリンクパラメータに少なくとも部分的に基づいて前記アップリンク制御チャネルを送信するためのリソースを判断するための手段と、
前記判断されたリソースを使用して前記アップリンク制御チャネルを送信するための手段と
を備える、ワイヤレス通信のために構成された装置。
【請求項２０】
前記リソースを判断するための手段が前記第１のアップリンクパラメータにさらに基づく、請求項１９に記載の装置。
【請求項２１】
ダウンリンク制御チャネルを受信するための手段をさらに備える、請求項１９に記載の装置。
【請求項２２】
前記ダウンリンク制御チャネルが第２のセルから受信され、前記第２のセルは前記サービング基地局に対応する、請求項２１に記載の装置。
【請求項２３】
前記第１のアップリンクパラメータがブロードキャスト送信を介して受信される、請求項１９に記載の装置。
【請求項２４】
前記アップリンク制御チャネルが少なくともＨ−ＡＲＱ応答を搬送する、請求項１９に記載の装置。
【請求項２５】
前記第２のアップリンクパラメータがＵＥ固有パラメータである、請求項１９に記載の装置。
【請求項２６】
前記リソースの前記判断は、前記アップリンク制御チャネルが前記第２のセルに関連する物理セル識別子（ＰＣＩ）とは別個に構成された仮想セル識別子に基づくときに実行される、請求項２２に記載の装置。
【請求項２７】
第１のセルから、アップリンク制御チャネルを受信するためのリソース判断に関係する第１のアップリンクパラメータを送信するための手段と、ここにおいて、前記第１のアップリンクパラメータは、前記アップリンク制御チャネルの開始インデックスである、
前記第１のセルから少なくとも１つのユーザ機器（ＵＥ）に、前記アップリンク制御チャネルを受信するためのリソース判断に関係する第２のアップリンクパラメータを送信するための手段と、ここにおいて、前記第２のアップリンクパラメータは、前記アップリンク制御チャネルの新しい開始インデックスである、
前記第１のセルからのデータ送信を実行するための手段と、
前記第２のアップリンクパラメータに少なくとも部分的に基づいて前記アップリンク制御チャネルを受信するためのリソースを判断するための手段と、
前記判断されたリソースを使用して前記アップリンク制御チャネルを受信するための手段と
を備え、
前記第１のアップリンクパラメータは、前記第１のセルが前記少なくとも１つのＵＥのサービング基地局に対応する場合の前記アップリンク制御チャネルの前記開始インデックスであり、前記第２のアップリンクパラメータは、前記第１のセルが前記少なくとも１つのＵＥの非サービング基地局に対応する場合の前記アップリンク制御チャネルの前記新しい開始インデックスである、ワイヤレス通信のために構成された装置。
【請求項２８】
前記リソースを判断するための前記手段が前記第１のアップリンクパラメータにさらに基づく、請求項２７に記載の装置。
【請求項２９】
ダウンリンク制御チャネルを送信するための手段をさらに備える、請求項２７に記載の装置。
【請求項３０】
前記ダウンリンク制御チャネルが第２のセルから送信され、前記第２のセルは前記少なくとも１つのＵＥの前記サービング基地局に対応する、請求項２９に記載の装置。
【請求項３１】
前記第１のアップリンクパラメータがブロードキャスト送信を介して受信される、請求項２７に記載の装置。
【請求項３２】
前記アップリンク制御チャネルが少なくともＨ−ＡＲＱ応答を搬送する、請求項２７に記載の装置。
【請求項３３】
前記第２のアップリンクパラメータがＵＥ固有パラメータである、請求項２７に記載の装置。
【請求項３４】
前記少なくとも１つのＵＥのために識別された仮想セルを構成するための手段をさらに備え、前記識別された仮想セルが、前記第２のセルに関連する物理セル識別子とは別個に構成された、請求項３０に記載の装置。
【請求項３５】
前記第１のアップリンクパラメータと、第２のＵＥのためのダウンリンク制御チャネルに関連するパラメータとに基づいて、前記アップリンク制御チャネルを受信するための第２のリソースを判断するための手段をさらに備える、請求項２７に記載の装置。
【請求項３６】
前記判断された第２のリソースが、前記第２のアップリンクパラメータに少なくとも部分的に基づいて判断された前記リソースに直交する、請求項３５に記載の装置。
【請求項３７】
ワイヤレスネットワークにおけるワイヤレス通信のためのコンピュータプログラムであって、
アップリンク制御チャネルを送信するためのリソース判断に関係する第１のアップリンクパラメータを受信するためのプログラムコードと、ここにおいて、前記第１のアップリンクパラメータは、サービング基地局のための前記アップリンク制御チャネルの開始インデックスである、
前記アップリンク制御チャネルを送信するためのリソース判断に関係する第２のアップリンクパラメータを受信するためのプログラムコードと、ここにおいて、前記第２のアップリンクパラメータは、非サービング基地局のための前記アップリンク制御チャネルの新しい開始インデックスである、
第１のセルからデータ送信を受信するためのプログラムコードと、前記第１のセルは前記非サービング基地局に対応し、
前記第２のアップリンクパラメータに少なくとも部分的に基づいて前記アップリンク制御チャネルを送信するためのリソースを判断するためのプログラムコードと、
前記判断されたリソースを使用して前記アップリンク制御チャネルを送信するためのプログラムコードと
を備える、コンピュータプログラム。
【請求項３８】
前記リソースを判断するための前記プログラムコードが前記第１のアップリンクパラメータにさらに基づく、請求項３７に記載のコンピュータプログラム。
【請求項３９】
ダウンリンク制御チャネルを受信するためのプログラムコードをさらに備える、請求項３７に記載のコンピュータプログラム。
【請求項４０】
前記ダウンリンク制御チャネルが第２のセルから受信され、前記第２のセルは前記サービング基地局に対応する、請求項３９に記載のコンピュータプログラム。
【請求項４１】
前記第１のアップリンクパラメータがブロードキャスト送信を介して受信される、請求項３７に記載のコンピュータプログラム。
【請求項４２】
前記アップリンク制御チャネルが少なくともＨ−ＡＲＱ応答を搬送する、請求項３７に記載のコンピュータプログラム。
【請求項４３】
前記第２のアップリンクパラメータがＵＥ固有パラメータである、請求項３７に記載のコンピュータプログラム。
【請求項４４】
前記リソースの前記判断は、前記アップリンク制御チャネルが前記第２のセルに関連する物理セル識別子（ＰＣＩ）とは別個に構成された仮想セル識別子に基づくときに実行される、請求項４０に記載のコンピュータプログラム。
【請求項４５】
ワイヤレスネットワークにおけるワイヤレス通信のためのコンピュータプログラムであって、
第１のセルから、アップリンク制御チャネルを受信するためのリソース判断に関係する第１のアップリンクパラメータを送信するためのプログラムコードと、ここにおいて、前記第１のアップリンクパラメータは、前記アップリンク制御チャネルの開始インデックスである、
前記第１のセルから少なくとも１つのユーザ機器（ＵＥ）に、前記アップリンク制御チャネルを受信するためのリソース判断に関係する第２のアップリンクパラメータを送信するためのプログラムコードと、ここにおいて、前記第２のアップリンクパラメータは、前記アップリンク制御チャネルの新しい開始インデックスである、
前記第１のセルからのデータ送信を実行するためのプログラムコードと、
前記第２のアップリンクパラメータに少なくとも部分的に基づいて前記アップリンク制御チャネルを受信するためのリソースを判断するためのプログラムコードと、
前記判断されたリソースを使用して前記アップリンク制御チャネルを受信するためのプログラムコードと
を備え、
前記第１のアップリンクパラメータは、前記第１のセルが前記少なくとも１つのＵＥのサービング基地局に対応する場合の前記アップリンク制御チャネルの前記開始インデックスであり、前記第２のアップリンクパラメータは、前記第１のセルが前記少なくとも１つのＵＥの非サービング基地局に対応する場合の前記アップリンク制御チャネルの前記新しい開始インデックスである、コンピュータプログラム。
【請求項４６】
前記リソースを判断するための前記プログラムコードが前記第１のアップリンクパラメータにさらに基づく、請求項４５に記載のコンピュータプログラム。
【請求項４７】
ダウンリンク制御チャネルを送信するためのプログラムコードをさらに備える、請求項４５に記載のコンピュータプログラム。
【請求項４８】
前記ダウンリンク制御チャネルが第２のセルから送信され、前記第２のセルは前記少なくとも１つのＵＥの前記サービング基地局に対応する、請求項４７に記載のコンピュータプログラム。
【請求項４９】
前記第１のアップリンクパラメータがブロードキャスト送信を介して受信される、請求項４５に記載のコンピュータプログラム。
【請求項５０】
前記アップリンク制御チャネルが少なくともＨ−ＡＲＱ応答を搬送する、請求項４５に記載のコンピュータプログラム。
【請求項５１】
前記第２のアップリンクパラメータがＵＥ固有パラメータである、請求項４５に記載のコンピュータプログラム。
【請求項５２】
前記少なくとも１つのＵＥのために識別された仮想セルを構成するためのプログラムコードをさらに備え、前記識別された仮想セルが、前記第２のセルに関連する物理セル識別子とは別個に構成された、請求項４８に記載のコンピュータプログラム。
【請求項５３】
前記第１のアップリンクパラメータと、第２のＵＥのためのダウンリンク制御チャネルに関連するパラメータとに基づいて、前記アップリンク制御チャネルを受信するための第２のリソースを判断するためのプログラムコードをさらに備える、請求項４５に記載のコンピュータプログラム。
【請求項５４】
前記判断された第２のリソースが、前記第２のアップリンクパラメータに少なくとも部分的に基づいて判断された前記リソースに直交する、請求項５３に記載のコンピュータプログラム。
【請求項５５】
少なくとも１つのプロセッサと、
前記少なくとも１つのプロセッサに結合されたメモリと
を備える、ワイヤレス通信のために構成された装置であって、
前記少なくとも１つのプロセッサは、
アップリンク制御チャネルを送信するためのリソース判断に関係する第１のアップリンクパラメータを受信することと、ここにおいて、前記第１のアップリンクパラメータは、サービング基地局のための前記アップリンク制御チャネルの開始インデックスである、
前記アップリンク制御チャネルを送信するためのリソース判断に関係する第２のアップリンクパラメータを受信することと、ここにおいて、前記第２のアップリンクパラメータは、非サービング基地局のための前記アップリンク制御チャネルの新しい開始インデックスである、
第１のセルからデータ送信を受信することと、前記第１のセルは前記非サービング基地局に対応し、
前記第２のアップリンクパラメータに少なくとも部分的に基づいて前記アップリンク制御チャネルを送信するためのリソースを判断することと、
前記判断されたリソースを使用して前記アップリンク制御チャネルを送信することと
を行うように構成された、装置。
【請求項５６】
前記リソースを判断するための、前記少なくとも１つのプロセッサの前記構成が前記第１のアップリンクパラメータにさらに基づく、請求項５５に記載の装置。
【請求項５７】
前記少なくとも１つのプロセッサが、ダウンリンク制御チャネルを受信するようにさらに構成された、請求項５５に記載の装置。
【請求項５８】
前記ダウンリンク制御チャネルが第２のセルから受信され、前記第２のセルは前記サービング基地局である、請求項５７に記載の装置。
【請求項５９】
前記第１のアップリンクパラメータがブロードキャスト送信を介して受信される、請求項５５に記載の装置。
【請求項６０】
前記アップリンク制御チャネルが少なくともＨ−ＡＲＱ応答を搬送する、請求項５５に記載の装置。
【請求項６１】
前記第２のアップリンクパラメータがＵＥ固有パラメータである、請求項５５に記載の装置。
【請求項６２】
前記リソースの前記判断は、前記アップリンク制御チャネルが前記第２のセルに関連する物理セル識別子（ＰＣＩ）とは別個に構成された仮想セル識別子に基づくときに実行される、請求項５８に記載の装置。
【請求項６３】
少なくとも１つのプロセッサと、
前記少なくとも１つのプロセッサに結合されたメモリと
を備える、ワイヤレス通信のために構成された装置であって、
前記少なくとも１つのプロセッサは、
第１のセルから、アップリンク制御チャネルを受信するためのリソース判断に関係する第１のアップリンクパラメータを送信することと、ここにおいて、前記第１のアップリンクパラメータは、前記アップリンク制御チャネルの開始インデックスである、
前記第１のセルから少なくとも１つのユーザ機器（ＵＥ）に、前記アップリンク制御チャネルを受信するためのリソース判断に関係する第２のアップリンクパラメータを送信することと、ここにおいて、前記第２のアップリンクパラメータは、前記アップリンク制御チャネルの新しい開始インデックスである、
前記第１のセルからのデータ送信を実行することと、
前記第２のアップリンクパラメータに少なくとも部分的に基づいて前記アップリンク制御チャネルを受信するためのリソースを判断することと、
前記判断されたリソースを使用して前記アップリンク制御チャネルを受信することと
を行うように構成され、
前記第１のアップリンクパラメータは、前記第１のセルが前記少なくとも１つのＵＥのサービング基地局に対応する場合の前記アップリンク制御チャネルの前記開始インデックスであり、前記第２のアップリンクパラメータは、前記第１のセルが前記少なくとも１つのＵＥの非サービング基地局に対応する場合の前記アップリンク制御チャネルの前記新しい開始インデックスである、装置。
【請求項６４】
前記リソースを判断するための、前記少なくとも１つのプロセッサの構成が前記第１のアップリンクパラメータにさらに基づく、請求項６３に記載の装置。
【請求項６５】
前記少なくとも１つのプロセッサが、ダウンリンク制御チャネルを送信するようにさらに構成された、請求項６３に記載の装置。
【請求項６６】
前記ダウンリンク制御チャネルが第２のセルから送信され、前記第２のセルは、前記少なくとも１つのＵＥの前記サービング基地局に対応する、請求項６５に記載の装置。
【請求項６７】
前記第１のアップリンクパラメータがブロードキャスト送信を介して受信される、請求項６３に記載の装置。
【請求項６８】
前記アップリンク制御チャネルが少なくともＨ−ＡＲＱ応答を搬送する、請求項６６に記載の装置。
【請求項６９】
前記第２のアップリンクパラメータがＵＥ固有パラメータである、請求項６３に記載の装置。
【請求項７０】
前記少なくとも１つのプロセッサが、前記少なくとも１つのＵＥのために識別された仮想セルを構成するようにさらに構成され、前記識別された仮想セルが、前記第２のセルに関連する物理セル識別子とは別個に構成された、請求項６６に記載の装置。
【請求項７１】
前記少なくとも１つのプロセッサが、前記第１のアップリンクパラメータと、第２のＵＥのためのダウンリンク制御チャネルに関連するパラメータとに基づいて、前記アップリンク制御チャネルを受信するための第２のリソースを判断するようにさらに構成された、請求項６３に記載の装置。
【請求項７２】
前記判断された第２のリソースが、前記第２のアップリンクパラメータに少なくとも部分的に基づいて判断された前記リソースに直交する、請求項７１に記載の装置。
【請求項７３】
前記第１のアップリンクパラメータを受信することは、第１の基地局にアップリンク制御チャネルを送信するためのリソース判断に関係するアップリンクパラメータを受信することを含み、前記第２のアップリンクパラメータを受信することは、第２の基地局に前記アップリンク制御チャネルを送信するためのリソース判断に関係するアップリンクパラメータを受信することを含む、請求項１に記載の方法。
【発明の詳細な説明】
【技術分野】
【０００１】
関連出願の相互参照
本出願は、その全体が参照により本明細書に明確に組み込まれる、２０１１年１０月３日に出願された「UPLINK RESOURCE MANAGEMENT UNDER COORDINATED MULTIPOINT TRANSMISSION」と題する米国仮出願第６１／５４２，４４２号の利益を主張する。
【０００２】
本開示の態様は、一般にワイヤレス通信システムに関し、より詳細には、多地点協調（ＣｏＭＰ：coordinated multipoint）送信下でのアップリンクリソース管理に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はＵｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）である。ＵＴＲＡＮは、３ｒｄ  Ｇｅｎｅｒａｔｉｏｎ  Ｐａｒｔｎｅｒｓｈｉｐ  Ｐｒｏｊｅｃｔ（３ＧＰＰ）によってサポートされる第３世代（３Ｇ）モバイルフォン技術である、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００６】
モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００７】
本開示の様々な態様は、所与のＵＥのための制御送信とデータ送信とが分離される、ＣｏＭＰシステム中の第１のｅＮＢと第２のｅＮＢとの間の物理アップリンク制御チャネル（ＰＵＣＣＨ：Physical Uplink Control Channel）リソースの管理および分配を対象とする。制御送信とデータ送信との分離により、第２のｅＮＢまたはリモートラジオヘッド（ＲＲＨ：remote radio head）がデータを送信する間に、第１のｅＮＢが制御情報を送信することが可能になる。そのようなシステムでは、第１のｅＮＢは、分離された方法でサービスされるＵＥに動的ＰＵＣＣＨパラメータを通信する。動的ＰＵＣＣＨパラメータにより、ＵＥは、第１のｅＮＢによって予約された動的ＰＵＣＣＨ領域と重複しないか、またはそれに対する干渉を引き起こさないような位置にある第２のｅＮＢに送信される動的ＰＵＣＣＨ領域のためのアップリンク通信を判断することが可能になる。
【０００８】
本開示の一態様では、ワイヤレス通信の方法は、アップリンク制御チャネルを送信するためのリソース判断(resource determination)に関係する第１のアップリンクパラメータを受信することと、アップリンク制御チャネルを送信するためのリソース判断(resource determination)に関係する第２のアップリンクパラメータを受信することと、第１のセルからデータ送信を受信することと、第２のアップリンクパラメータに少なくとも部分的に基づいてアップリンク制御チャネルを送信するためのリソースを判断する(determine)ことと、判断されたリソースを使用してアップリンク制御チャネルを送信することとを含む。
【０００９】
本開示の追加の態様では、ワイヤレス通信のために構成された装置は、アップリンク制御チャネルを送信するためのリソース判断に関係する第１のアップリンクパラメータを受信するための手段と、アップリンク制御チャネルを送信するためのリソース判断に関係する第２のアップリンクパラメータを受信するための手段と、第１のセルからデータ送信を受信するための手段と、第２のアップリンクパラメータに少なくとも部分的に基づいてアップリンク制御チャネルを送信するためのリソースを判断するための手段と、判断されたリソースを使用してアップリンク制御チャネルを送信するための手段とを含む。
【００１０】
本開示の追加の態様では、コンピュータプログラム製品は、プログラムコードを記録したコンピュータ可読媒体を有する。このプログラムコードは、アップリンク制御チャネルを送信するためのリソース判断に関係する第１のアップリンクパラメータを受信するためのコードと、アップリンク制御チャネルを送信するためのリソース判断に関係する第２のアップリンクパラメータを受信するためのコードと、第１のセルからデータ送信を受信するためのコードと、第２のアップリンクパラメータに少なくとも部分的に基づいてアップリンク制御チャネルを送信するためのリソースを判断するためのコードと、判断されたリソースを使用してアップリンク制御チャネルを送信するためのコードとを含む。
【００１１】
本開示の追加の一態様では、装置は、少なくとも１つのプロセッサと、プロセッサに結合されたメモリとを含む。プロセッサは、アップリンク制御チャネルを送信するためのリソース判断に関係する第１のアップリンクパラメータを受信することと、アップリンク制御チャネルを送信するためのリソース判断に関係する第２のアップリンクパラメータを受信することと、第１のセルからデータ送信を受信することと、第２のアップリンクパラメータに少なくとも部分的に基づいてアップリンク制御チャネルを送信するためのリソースを判断することと、判断されたリソースを使用してアップリンク制御チャネルを送信することとを行うように構成される
本開示の追加の態様では、ワイヤレス通信の方法は、第１のセルから、アップリンク制御チャネルを受信するためのリソース判断に関係する第１のアップリンクパラメータを送信することと、第１のセルから少なくとも１つのＵＥに、アップリンク制御チャネルを受信するためのリソース判断に関係する第２のアップリンクパラメータを送信することと、第１のセルからのデータ送信を実行することと、第２のアップリンクパラメータに少なくとも部分的に基づいてアップリンク制御チャネルを受信するためのリソースを判断することと、判断されたリソースを使用してアップリンク制御チャネルを受信することとを含む。
【００１２】
本開示の追加の態様では、ワイヤレス通信のために構成された装置は、第１のセルから、アップリンク制御チャネルを受信するためのリソース判断に関係する第１のアップリンクパラメータを送信するための手段と、第１のセルから少なくとも１つのＵＥに、アップリンク制御チャネルを受信するためのリソース判断に関係する第２のアップリンクパラメータを送信するための手段と、第１のセルからのデータ送信を実行するための手段と、第２のアップリンクパラメータに少なくとも部分的に基づいてアップリンク制御チャネルを受信するためのリソースを判断するための手段と、判断されたリソースを使用してアップリンク制御チャネルを受信するための手段とを含む。
【００１３】
本開示の追加の態様では、コンピュータプログラム製品は、プログラムコードを記録したコンピュータ可読媒体を有する。このプログラムコードは、第１のセルから、アップリンク制御チャネルを受信するためのリソース判断に関係する第１のアップリンクパラメータを送信するためのコードと、第１のセルから少なくとも１つのＵＥに、アップリンク制御チャネルを受信するためのリソース判断に関係する第２のアップリンクパラメータを送信するためのコードと、第１のセルからのデータ送信を実行するためのコードと、第２のアップリンクパラメータに少なくとも部分的に基づいてアップリンク制御チャネルを受信するためのリソースを判断するためのコードと、判断されたリソースを使用してアップリンク制御チャネルを受信するためのコードとを含む。
【００１４】
本開示の追加の一態様では、装置は、少なくとも１つのプロセッサと、プロセッサに結合されたメモリとを含む。プロセッサは、第１のセルから、アップリンク制御チャネルを受信するためのリソース判断に関係する第１のアップリンクパラメータを送信することと、第１のセルから少なくとも１つのＵＥに、アップリンク制御チャネルを受信するためのリソース判断に関係する第２のアップリンクパラメータを送信することと、第１のセルからのデータ送信を実行することと、第２のアップリンクパラメータに少なくとも部分的に基づいてアップリンク制御チャネルを受信するためのリソースを判断することと、判断されたリソースを使用してアップリンク制御チャネルを受信することとを行うように構成される。
【図面の簡単な説明】
【００１５】
【図１】モバイル通信システムの一例を概念的に示すブロック図。
【図２】モバイル通信システムにおけるダウンリンクフレーム構造の一例を概念的に示すブロック図。
【図３】アップリンクＬＴＥ／−Ａ通信における例示的なフレーム構造を概念的に示すロック図。
【図４】本開示の一態様による、異種ネットワークにおける時分割多重（ＴＤＭ）区分を概念的に示すブロック図。
【図５】本開示の一態様に従って構成された基地局／ｅＮＢおよびＵＥの設計を概念的に示すブロック図。
【図６】低電力ＲＲＨを使用するＨｅｔＮｅｔ  Ｃｏｍｐセルを概念的に示す図。
【図７】ＵＥへのダウンリンク制御送信とダウンリンクデータ送信とが分離されたセルを概念的に示す図。
【図８】ワイヤレス通信システムにおけるセルを概念的に示す図。
【図９】ダウンリンク制御送信とダウンリンクデータ送信とが分離されない状態で動作するＨｅｔＮｅｔ送信システムのＰＵＣＣＨ管理構成を概念的に示す図。
【図１０】ダウンリンク制御送信とダウンリンクデータ送信とが分離された状態で動作するＨｅｔＮｅｔ送信システムのマクロｅＮＢとＲＲＨとのＰＵＣＣＨ管理構成を概念的に示す図。
【図１１】ダウンリンク制御送信とダウンリンクデータ送信とが分離された状態で動作するＨｅｔＮｅｔ送信システムのマクロｅＮＢとＲＲＨとのＰＵＣＣＨ管理構成を概念的に示す図。
【図１２】ダウンリンク制御送信とダウンリンクデータ送信とが分離された状態で動作するＨｅｔＮｅｔ送信システムのサービングセルとＲＲＨとのＰＵＣＣＨ管理構成を概念的に示す図。
【図１３】本開示の一態様を実装するために実行される例示的なブロックを概念的に示す機能ブロック図。
【図１４】本開示の一態様を実装するために実行される例示的なブロックを概念的に示す機能ブロック図。
【図１５】本開示の一態様に従って構成されたＵＥを概念的に示すブロック図。
【図１６】本開示の態様による、ＲＲＨまたはマクロｅＮＢとして構成され得るｅＮＢを概念的に示すブロック図。
【発明を実施するための形態】
【００１６】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１７】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１８】
図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどとも呼ばれる。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００１９】
ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２０】
ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥとすることができる。図１に示す例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００２１】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００２２】
ネットワークコントローラ１３０は、ｅＮＢのセットに結合し、これらのｅＮＢの協調および制御を行い得る。ネットワークコントローラ１３０は、バックホール１３２を介してｅＮＢ１１０と通信し得る。ｅＮＢ１１０はまた、たとえば、ワイヤレスバックホール１３４またはワイヤラインバックホール１３６を介して直接または間接的に互いに通信し得る。
【００２３】
ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２４】
ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚの対応するシステム帯域幅に対してそれぞれ１つ、２つ、４つ、８つ、または１６個のサブバンドがあり得る。
【００２５】
図２に、ＬＴＥ／−Ａにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
ＬＴＥ／−Ａでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅＮＢは、各サブフレームの最初のＭ個のシンボル期間中に物理Ｈ−ＡＲＱインジケータチャネル（ＰＨＩＣＨ：Physical H-ARQ Indicator Channel）と物理ダウンリンク制御チャネル（ＰＤＣＣＨ：Physical Downlink Control Channel）とを送り得る。図２に示す例でも、ＰＤＣＣＨおよびＰＨＩＣＨは最初の３つのシンボル期間中に含まれている。ＰＨＩＣＨは、ハイブリッド自動再送信（Ｈ−ＡＲＱ）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００２８】
各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示すように、データ領域を利用するこれらの新しい制御設計、たとえば、リレー物理ダウンリンク制御チャネル（Ｒ−ＰＤＣＣＨ：Relay-Physical Downlink Control Channel）およびリレー物理Ｈ−ＡＲＱインジケータチャネル（ＲＰＨＩＣＨ：Relay-Physical H-ARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００２９】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３０】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３１】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３２】
ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３３】
図３は、アップリンクＬｏｎｇＴｅｒｍＥｖｏｌｕｔｉｏｎ（ＬＴＥ／−Ａ）通信における例示的なフレーム構造３００を概念的に示すロック図である。アップリンクのために利用可能なリソースブロック（ＲＢ：resource block）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３４】
ＵＥには、ｅＮＢに制御情報を送信するために制御セクション中のリソースブロックが割り当てられ得る。ＵＥは、ｅノードＢにデータを送信するためにデータセクション中のリソースブロックも割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。
【００３５】
再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘおよび中継局１１０ｒは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、干渉管理のリソース協調および協調を実行するためにワイヤレスネットワーク１００の他のｅＮＢ１１０と通信し得る、アクティブでアウェアなｅＮＢとして、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００３６】
ワイヤレスネットワーク１００など、異種ネットワークの動作では、各ＵＥは、通常、より良い信号品質をもつｅＮＢ１１０によってサービスされ、他のｅＮＢ１１０から受信した不要な信号は干渉として扱われる。そのような動作原理は、著しく準最適なパフォーマンスをもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワークパフォーマンスの利得が実現される。
【００３７】
ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、カバレージエリアまたはセルのエッジ上のＵＥ（「セルエッジ」ＵＥ）への制御チャネル送信のためのより困難なＲＦ環境に役立つことができる、低信号対干渉状態をもつ大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００３８】
しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が判断されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００３９】
サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥを効率的にサービスするために十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブに分散させようと試みる。この概念は、範囲拡張と呼ばれる。
【００４０】
ワイヤレスネットワーク１００は、サーバ選択が判断される方式を変更することによってこの範囲拡張を達成する。サーバ選択がダウンリンク受信信号強度に基づく代わりに、選択はダウンリンク信号の品質に一層基づく。１つのそのような品質ベースの判断では、サーバ選択は、ＵＥに最小の経路損失を与えるｅＮＢを判断することに基づき得る。さらに、ワイヤレスネットワーク１００は、マクロｅＮＢ１１０ａ〜ｃとピコｅＮＢ１１０ｘとの間で均等にリソースの固定の区分を行う。しかしながら、このアクティブな負荷分散を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００４１】
ワイヤレスネットワーク１００など、範囲拡張を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル展開中のセルからの干渉を低減するために、セル間干渉協調（ＩＣＩＣ）が使用され得る。１つのＩＣＩＣ機構は適応リソース区分である。適応リソース区分は、いくつかのｅＮＢにサブフレームを割り当てる。第１のｅＮＢに割り当てられたサブフレーム中ではネイバーｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００４２】
たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅＮＢによって排他的に使用するために第１のｅＮＢに割り当てられる。保護サブフレームは、隣接ｅＮＢからの干渉がないことに基づき「クリーン」サブフレームと呼ばれることもある。禁止サブフレームはネイバーｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００４３】
期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームが動的に割り振られ得る。
【００４４】
適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００４５】
異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ）の電力スペクトル密度（ＰＳＤ：power spectral density）は、ピコｅＮＢおよびフェムトｅＮＢ（ビクティムｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００４６】
図４は、本開示の一態様による、異種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有する間、他方のｅＮＢは静的禁止サブフレームを有する。たとえば、フェムトｅＮＢは、サブフレーム０中の禁止サブフレーム（Ｎサブフレーム）に対応して、サブフレーム０中の保護サブフレーム（Ｕサブフレーム）を有する。同様に、マクロｅＮＢは、サブフレーム７中の禁止サブフレーム（Ｎサブフレーム）に対応して、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅＮＢとマクロｅＮＢの両方がデータを送信し得る。
【００４７】
保護サブフレーム（Ｕ／ＡＵサブフレームなど）では、アグレッサｅＮＢが送信を禁止されるので、干渉が低減され、チャネル品質が高い。禁止サブフレーム（Ｎ／ＡＮサブフレームなど）では、ビクティムｅＮＢが干渉レベルの低いデータを送信できるように、データが送信されない。共通サブフレーム（Ｃ／ＡＣサブフレームなど）では、チャネル品質は、データを送信するネイバーｅＮＢの数に依存する。たとえば、ネイバーｅＮＢが共通サブフレーム上でデータを送信する場合、共通サブフレームのチャネル品質は保護サブフレームよりも低くなり得る。共通サブフレーム上のチャネル品質はまた、アグレッサｅＮＢによって強く影響を及ぼされる拡張境界領域（ＥＢＡ：extended boundary area）ＵＥではより低くなり得る。ＥＢＡ  ＵＥは、第１のｅＮＢに属し得るが、第２のｅＮＢのカバレージエリア中にも位置し得る。たとえば、フェムトｅＮＢカバレージの範囲限界の近くにあるマクロｅＮＢと通信しているＵＥは、ＥＢＡ  ＵＥである。
【００４８】
ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、たとえばネットワークコントローラ１３０（図１）などの送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用して、またはネットワーク中のノード／エンティティの様々なセットにわたってアルゴリズムを分散させることによって、展開され得る。
【００４９】
ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）よりマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、それのチャネルリソースの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないようにする。
【００５０】
そのような支配的干渉シナリオでは、ＵＥと複数のｅＮＢとの間の距離が異なるために、ＵＥにおいて観測される信号電力の相異に加えて、同期システム中でもＵＥによってまたダウンリンク信号のタイミング遅延が観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信したダウンリンク信号の伝搬遅延は、約１６．６７μｓ（５ｋｍ÷３×１０8（すなわち、光速、「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）エラーのレベルに近づく可能性がある。
【００５１】
さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が判断され、干渉と区別され得、したがって干渉を消去することが可能になる。
【００５２】
図５に、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、アンテナ５３４ａ〜５３４ｔを装備し得、ＵＥ１２０は、アンテナ５５２ａ〜５５２ｒを装備し得る。
【００５３】
ｅＮＢ１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ５２０は、データと制御情報とを処理（たとえば、符号化およびシンボルマッピング）して、それぞれデータシンボルと制御シンボルとを取得し得る。送信プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０は、適用可能な場合、データシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、（たとえば、ＯＦＤＭなどのために）それぞれの出力シンボルストリームを処理して、出力サンプルストリームを取得し得る。各変調器５３２はさらに、出力サンプルストリームを処理（たとえば、アナログへの変換、増幅、フィルタ処理、およびアップコンバート）して、ダウンリンク信号を取得し得る。変調器５３２ａ〜５３２ｔのダウンリンク信号は、それぞれアンテナ５３４ａ〜５３４ｔを介して送信され得る。
【００５４】
ＵＥ１２０において、アンテナ５５２ａ〜５５２ｒは、ｅＮＢ１１０からダウンリンク信号を受信し得、受信信号をそれぞれ復調器（ＤＥＭＯＤ）５５４ａ〜５５４ｒに与え得る。各復調器５５４は、それぞれの受信信号を調整（たとえば、フィルタ処理、増幅、ダウンコンバート、およびデジタル化）して、入力サンプルを取得し得る。各復調器５５４は、（たとえば、ＯＦＤＭなどのために）入力サンプルをさらに処理して、受信シンボルを取得し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８は、検出シンボルを処理（たとえば、復調、デインターリーブ、および復号）し、ＵＥ１２０の復号されたデータをデータシンク５６０に与え、復号された制御情報をコントローラ／プロセッサ５８０に与え得る。
【００５５】
アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。送信プロセッサ５６４はまた、基準信号のための基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）変調器５５４ａ〜５５４ｒによって処理され、ｅＮＢ１１０に送信され得る。ｅＮＢ１１０において、ＵＥ１２０からのアップリンク信号は、アンテナ５３４によって受信され、復調器５３２によって処理され、適用可能な場合はＭＩＭＯ検出器５３６によって検出され、さらに受信プロセッサ５３８によって処理されて、ＵＥ１２０によって送られた復号されたデータおよび制御情報が取得され得る。プロセッサ５３８は、復号されたデータをデータシンク５３９に与え、復号された制御情報をコントローラ／プロセッサ５４０に与え得る。
【００５６】
コントローラ／プロセッサ５４０および５８０は、それぞれｅＮＢ１１０における動作およびＵＥ１２０における動作を指示し得る。ｅＮＢ１１０におけるコントローラ／プロセッサ５４０および／または他のプロセッサおよびモジュールは、本明細書で説明する技法のための様々なプロセスを実行するか、またはその実行を指示し得る。ＵＥ１２０におけるコントローラ／プロセッサ５８０および／または他のプロセッサとモジュールは、図１３〜図１４に示す機能ブロック、および／または本明細書で説明する技法のための他のプロセスを実行するか、またはその実行を指示し得る。メモリ５４２および５８２は、それぞれｅＮＢ１１０およびＵＥ１２０のためのデータおよびプログラムコードを記憶し得る。スケジューラ５４４は、ダウンリンク上および／またはアップリンク上でのデータ送信のためにＵＥをスケジュールし得る。
【００５７】
多地点協調（ＣｏＭＰ：coordinated multipoint）送信は、複数の基地局が１つまたは複数のＵＥへの送信を協調する方式を指す。ＣｏＭＰの主要なアイデアのうちの１つは、ＵＥが、セルエッジまたはセル範囲拡大（ＣＲＥ：cell range expansion）領域中にあるとき、複数のセルサイトから信号を受信することが可能であり得るということである。さらに、ＵＥの送信はまた、システム負荷にかかわらず複数のセルサイトにおいて受信され得る。複数のセルサイトから送信されたシグナリングが協調されることを仮定すると、ダウンリンクパフォーマンスは著しく向上し得る。ＣｏＭＰ方式の一例では、複数のｅＮＢが、同じＵＥを対象とする同じデータを送信する。そのようなジョイント送信方式は、すべての関係するｅＮＢのすべてのアンテナにわたるジョイントプリコーディングベクトルを使用することによって実装され得る。ＣｏＭＰ方式の別の例では、ｅＮＢは、１つのＵＥを対象とするいくつかの異なるデータを異なるＭＩＭＯレイヤとして送信する。たとえば、第１のレイヤは第１のｅＮＢによって送られ、第２のレイヤは第２のｅＮＢによって送られ、第３のレイヤは第３のｅＮＢによって送られる。ＣｏＭＰ方式のさらに別の例では、ｅＮＢは、隣接セル中のＵＥへの干渉を低減するように選択されたビームを使用してそれのＵＥにデータを送信する。ＣｏＭＰ送信の様々な異なる方式が、同種ネットワークおよび／または異種ネットワーク（ＨｅｔＮｅｔ）において使用され得る。
【００５８】
ＣｏＭＰ送信システムに関与するｅＮＢ間の通信を可能にするために、ノード間の接続は、Ｘ２インターフェース（若干のレイテンシ、限られた帯域幅）を使用するか、またはファイバー接続（最小レイテンシおよびほぼ「無制限の」帯域幅）を使用して与えられ得る。ＨｅｔＮｅｔ  ＣｏＭＰはまた、リモートラジオヘッド（ＲＲＨ）を含む低電力ノードを採用し得る。低電力ＲＲＨを使用するＨｅｔＮｅｔ  ＣｏＭＰシステムなどのシステムでは、制御送信とデータ送信とは分離され得る。すなわち、ＵＥのための制御送信とデータ送信とは、異なるセルまたはノードによってサービスされるか、または異なるセルまたはノードによってＵＥに送信され得る。
【００５９】
図６は、低電力ＲＲＨを使用するＨｅｔＮｅｔ  Ｃｏｍｐセル、セル６０を示す図である。セル６０はマクロｅＮＢ６００によってサービスされる。セル６０内では、マクロノード６００とともに、低電力ノード、ＲＲＨ６０２〜６０５を通してＨｅｔＮｅｔ通信を与える複数のＲＲＨが展開される。ＵＥ６１０および６１４は、それぞれＲＲＨ６０４および６０２のカバレージゾーン内に位置する。ＲＲＨ６０４および６０２は、従来のＬＴＥ条件の下で、それぞれＵＥ６１０および６１４をサービスし、データ送信６１６および６２４ならびに制御送信６１７および６２５は、それぞれＲＲＨ６０４および６０２によってサービスされる。ＵＥ６１１および６１２は、それぞれＲＲＨ６０３および６０５のセル範囲拡大ゾーン内にあり、それぞれ、カバレージゾーン６０８および６０６と帯域幅エッジ６０９および６０７との間にある。ＵＥ６１１はＲＲＨ６０３の範囲拡大ゾーン内にあるが、データ送信６１８と制御送信６１９とはどちらもマクロｅＮＢ６００によって従来のＬＴＥ条件の下でサービスされる。ただし、ＵＥ６１２は、ＲＲＨ６０５からのデータ送信６２１から分離された、マクロｅＮＢ６００からの制御送信６２０を受信する。ＵＥ６１３および６１５は、マクロｅＮＢ６００のカバレージゾーン内にのみ位置する。したがって、それぞれ制御送信６２２および６２７とそれぞれデータ送信６２３および６２６とはマクロｅＮＢ６００によって与えられる。
【００６０】
ＵＥ６１２への分離された制御送信６２０およびデータ送信６２１の構成により、マクロｅＮＢ６００は、干渉消去能力なしにＵＥへのデータ送信をオフロードすることが可能になり得る。たとえば、ＵＥ６１２は干渉能力を有しない。セル６０を分析するとき、ＵＥ６１２はマクロｅＮＢ６００を最も強いセルと見なし得る。したがって、制御送信とデータ送信との両方がＲＲＨ６０５によってサービスされる場合、ＵＥ６１２のための制御送信中に干渉が多すぎて、正確に処理することができないことがある。したがって、マクロｅＮＢ６００への制御送信６２０を分離することによって、効率的な制御およびデータダウンロードプロセスがＵＥ６１２と確立され得る。
【００６１】
ダウンリンク制御送信とダウンリンクデータ送信とが分離されたＵＥの場合、他のアップリンク信号（たとえば、サウンディング基準信号（ＳＲＳ：sounding reference signal））とともに、ＰＵＣＣＨおよび物理アップリンク共有チャネル（ＰＵＳＣＨ）を介してＵＥによって送信されたアップリンク制御およびデータは、依然として同じセル、たとえば、ＲＲＨによって受信され得る。図７は、ＵＥ６１０へのダウンリンク制御送信とダウンリンクデータ送信とが分離されたセル６０を示す図である。カバレージエリア７００エッジと帯域幅エッジ７０１との間のエリアによって定義されるセル範囲拡大エリア中に位置するＵＥ６１０は、ＲＲＨ６０４からダウンリンクデータ送信７０３を受信し、マクロｅＮＢ６００からダウンリンク制御送信７０２を受信する。ＵＥ６１０からのアップリンクデータおよび制御情報について、ＵＥ６１０が受ける経路損失は、サービングセル、マクロｅＮＢ６００に関してよりもＲＲＨ６０４に関してはるかに少なくなる。したがって、ＵＥ６１０はマクロｅＮＢ６００をそれのサービングセルと見なすが、ＵＥ６１０は、それぞれＰＵＣＣＨ／ＰＵＳＣＨ送信７０４を介してそのような制御およびデータ情報をＲＲＨ６０４に送信する。ＲＲＨ６０４は、次いで、バックホール通信７０５を介して、ＵＥ６１０から受信したアップリンクデータおよび制御情報をマクロｅＮＢ６００に送信し得る。
【００６２】
バックホール通信７０５は、Ｘ２インターフェース、ファイバー、または他の低レイテンシ／高帯域幅接続のいずれかを介して行われ得るが、ファイバーまたは同様の低レイテンシ／高帯域幅接続を介してバックホール通信７０５を行うことは、通信中により小さいレイテンシを与え得ることに留意されたい。
【００６３】
図８は、セル６０を示す図である。ＲＲＨ６０４は、マクロｅＮＢ６００がＵＥ６１０への制御送信７０２をサービスする分離された構成において、ＵＥ６１０へのデータ送信７０３をサービスする。ＲＲＨ６０４はまた、従来のＬＴＥ送信下でＵＥ６１５への制御送信８００とデータ送信８０１との両方をサービスする。ＵＥ６１０は、マクロｅＮＢ６００がそれのサービングセルであると見なすが、ＵＥ６１０は、ＲＲＨ６０４にＰＵＣＣＨ／ＰＵＳＣＨ送信７０４中でそれのアップリンク制御およびデータ情報を送信する。ＵＥ６１５は、同じくＲＲＨ６０４にＰＵＣＣＨ／ＰＵＳＣＨ送信８０２中でアップリンク制御およびデータ情報を送信する。ＲＲＨ６０４がＵＥ６１０とＵＥ６１５の両方からＰＵＣＣＨ  ＡＣＫ／ＮＡＫ情報を受信した場合、ＡＣＫ／ＮＡＫリソースが直交しない限り、ＵＥ６１０とＵＥ６１５とのＡＣＫ／ＮＡＫ情報間に干渉があり得る。ダウンリンク側では、ＵＥ６１０はマクロｅＮＢ６００からＰＤＣＣＨ情報を受信することになるが、ＵＥ６１５はＲＲＨ６０４からそれのＰＤＣＣＨ情報を受信する。
【００６４】
マクロｅＮＢ６００はまた、ＵＥ６１１に制御送信８０３とデータ送信８０４の両方を与えることによって従来のＬＴＥにおいてＵＥ６１１をサービスする。ＵＥ６１１は、ＰＵＣＣＨ／ＰＵＳＣＨ送信８０５を介してマクロｅＮＢ６００にそれの制御およびデータ情報を送信する。マクロｅＮＢ６００もＵＥ６１０をサービスするので、これらの２つのＵＥ間にも直交性が維持されない限り、ＵＥ６１０からのＡＣＫ／ＮＡＫ情報もＵＥ６１１からのＡＣＫ／ＮＡＫ情報と干渉し得る。したがって、ＨｅｔＮｅｔ  ＣｏＭＰ送信システムにおいて、被サービスＵＥのためのＰＵＣＣＨ管理は、分離された制御送信およびデータ送信と受信するＵＥによって生じる、ＡＣＫ／ＮＡＫリソース間の干渉を最小化するのに有益である。
【００６５】
図９は、ダウンリンク制御送信とダウンリンクデータ送信とが分離されない状態で動作するＨｅｔＮｅｔ送信システムのＰＵＣＣＨ管理構成９００および９０１を示す図である。ＰＵＣＣＨ管理構成９００は、マクロｅＮＢ６００（図６）の管理構成を表すものである。帯域幅エッジから開始して、ｅＮＢは半静的ＰＵＣＣＨ領域９０２を予約する。変数ＮPUCCH,eNB(1)によって表される開始位置において開始する動的ＰＵＣＣＨ領域９０３が次いで予約される。マクロｅＮＢ６００は、ＮPUCCH,eNB(1)を維持し、動的ＰＵＣＣＨに関するＰＵＣＣＨ情報をどこに送信すべきかをＵＥに知らせるために、ＵＥにこの変数をブロードキャストする。動的ＰＵＣＣＨは、概して、ＡＣＫ／ＮＡＫを送信するために使用され、一方、半静的ＰＵＣＣＨは、概して、レイヤ３（Ｌ３）シグナリング、ＣＱＩなどのアップリンク情報を送信するために使用される。予約された動的ＰＵＣＣＨ領域９０３の後に、潜在的に制限されたＰＵＳＣＨ送信領域９０４、ＰＵＳＣＨ領域９０５のデータ送信ロケーション、別の潜在的に制限されたＰＵＳＣＨ送信領域９０６、別の予約された動的ＰＵＣＣＨ領域９０７、および別の半静的ＰＵＣＣＨ領域９０８が続く。
【００６６】
干渉が回避されるようにＰＵＣＣＨを管理するために、ＲＲＨ６０４（図６）の管理構成を表すＰＵＣＣＨ管理構成９０１は、半静的ＰＵＣＣＨ領域９１０および９１４と動的ＰＵＣＣＨ領域９１１および９１３とが、マクロｅＮＢ６００のＰＵＣＣＨ管理構成９００の半静的ＰＵＣＣＨ領域９０２および９０８と動的ＰＵＣＣＨ領域９０３および９０７と直交する（したがって、それらが衝突しない）ように、半静的ＰＵＣＣＨ領域９１０および９１４と動的ＰＵＣＣＨ領域９１１および９１３とをスケジュールする。したがって、直交性がＰＵＣＣＨ領域間で維持される限り、ＰＵＣＣＨ領域の図示された位置は、図示されたロケーションとは異なるロケーションに配置され得る。例として、図９では、ＰＵＳＣＨ領域９０９中でのデータ送信が最初にスケジュールされ、後ろに、半静的ＰＵＣＣＨ領域と、変数ＮPUCCH,RRH(1)によって表される開始位置において開始する動的ＰＵＣＣＨ領域９１１とが続く。ＰＵＳＣＨ領域９１２および９１５もＰＵＣＣＨ管理構成９０１中にスケジュールされる。マクロｅＮＢ６００の場合と同様に、ＲＲＨ６０４も、ＮPUCCH,RRH(1)を維持し、動的ＰＵＣＣＨ情報をどこにスケジュールすべきかを被サービスＵＥに知らせるために、ＵＥにこの変数をブロードキャストする。
【００６７】
図１０は、ダウンリンク制御送信とダウンリンクデータ送信とが分離された状態で動作するＨｅｔＮｅｔ送信システムの（マクロｅＮＢ６００の）ＰＵＣＣＨ管理構成１０００と（ＲＲＨ６０４の）ＰＵＣＣＨ管理構成１００１とを示す図である。ＰＵＣＣＨ管理構成１０００は、半静的ＰＵＣＣＨ領域１００２から開始し、後ろに、動的ＰＵＣＣＨ領域１００３、制限されたＰＵＳＣＨ送信領域１００４、ＰＵＳＣＨ領域１００５上でのデータ送信、制限されたＰＵＳＣＨ送信領域１００６の別の予約、動的ＰＵＣＣＨ領域１００７、および半静的ＰＵＣＣＨ領域１００８が続く。ＰＵＣＣＨ管理構成１００１は、ＰＵＳＣＨ領域１００９中のデータ送信領域から開始し、後ろに、ｅＮＢ１０１０のための動的ＰＵＣＣＨ、半静的ＰＵＣＣＨ領域１０１１、ＲＲＨ１０１２のための動的ＰＵＣＣＨ領域、ＰＵＳＣＨ領域１０１３、ＲＲＨ１０１４のための別の動的ＰＵＣＣＨ領域、半静的ＰＵＣＣＨ領域１０１５、ｅＮＢ１０１６のための動的ＰＵＣＣＨ領域、およびＰＵＳＣＨ領域１０１７が続く。
【００６８】
制御送信とデータ送信とが分離された方式の下で、ＵＥは、マクロｅＮＢ６００をサービングセルとして扱い、それがＲＲＨ６０４に送信することになるＰＵＣＣＨのためのＡＣＫ／ＮＡＫリソースの判断のために、マクロｅＮＢ６００からＮPUCCH,eNB1(1)（動的ＡＣＫ／ＮＡＫ領域の開始位置）を取得する。ＵＥ６１５（図８）は、ＲＲＨ６０５をそれのサービングセルとして扱い、したがって、ＲＲＨ６０４上のＰＵＣＣＨのためのＡＣＫ／ＮＡＫリソースの判断のために、ＲＲＨ６０４からＮPUCCH,RRH(1)を取得する。セル間協調が可能であるが、ＮPUCCH,eNB(1)およびＮPUCCH,RRH1(1)は、一般に、２つのセルによって別個に設定される。
【００６９】
ＰＵＣＣＨ管理構成１００１に示されているように、ＲＲＨ６０４は、動的ＰＵＣＣＨ領域の２つのセット、それ自体のための１つである動的ＰＵＣＣＨ領域１０１２と、マクロｅＮＢ６００からのＰＤＣＣＨを用いるＵＥのためのもう一方である動的ＰＵＣＣＨ領域１０１０とを予約する。動的ＰＵＣＣＨ領域１０１０は、マクロｅＮＢ６００によってサービスされているＵＥのために使用されるので、そのＵＥは、マクロｅＮＢ６００からＮPUCCH,eNB(1)を取得することになる。したがって、それは、ＰＵＣＣＨ管理構成１００１中で、動的ＰＵＣＣＨ領域１００３と衝突することになる位置に配置される。２つの動的領域はまた、ＰＵＳＣＨに再利用することを困難にする。たとえば、４つのリソースブロック（ＲＢ）が潜在的なＰＵＣＣＨ送信のために予約されている場合、ＵＥによる実際の使用がそれらの割り当てられたＲＢのうちの１つのみを使用する場合、２つの動的領域が構成されるとき、特に、図１０に示したように、２つの動的ＰＵＣＣＨ領域１０１０および１０１２が連続していない構成では、２つの異なる領域中のＲＢを再利用するのはより複雑なプロセスになる。より重要なことに、マクロｅＮＢ６００のＰＵＣＣＨ管理構成１０００中の動的ＰＵＣＣＨ領域１００３と、ＲＲＨ６０４のＰＵＣＣＨ管理構成１００１中のｅＮＢ１０１０のための動的ＰＵＣＣＨ領域とは互いに干渉し得る。
【００７０】
図１１は、ダウンリンク制御送信とダウンリンクデータ送信とが分離された状態で動作するＨｅｔＮｅｔ送信システムの（マクロｅＮＢ６００の）ＰＵＣＣＨ管理構成１１００と（ＲＲＨ６０４の）ＰＵＣＣＨ管理構成１１０１とを示す図である。ＰＵＣＣＨ管理構成１１００は、半静的ＰＵＣＣＨ領域１１０２から開始し、後ろに、動的ＰＵＣＣＨ領域１１０３、制限されたＰＵＳＣＨ送信領域１１０４、ＰＵＳＣＨ領域１１０５上でのデータ送信、制限されたＰＵＳＣＨ送信領域１１０６の別の予約、動的ＰＵＣＣＨ領域１１０７、および半静的ＰＵＣＣＨ領域１１０８が続く。ＰＵＣＣＨ管理構成１１０１は、今度は、半静的ＰＵＣＣＨ領域１１０９から開始し、後ろに、ｅＮＢ１１１０のための動的ＰＵＣＣＨ領域、ＮPUCCH,RRH(1)において開始する、ＲＲＨ１１１１のための動的ＰＵＣＣＨ領域、ＰＵＳＣＨ領域１１１２、ＲＲＨ１１１３のための別の動的ＰＵＣＣＨ領域、ｅＮＢ１１１４のための動的ＰＵＣＣＨ領域、および半静的ＰＵＣＣＨ領域１１１５が続く。
【００７１】
図示のように、ＮPUCCH,eNB(1)およびＮPUCCH,RRH(1)の設定は、ＲＲＨ上の２つの動的領域（マクロｅＮＢ６００のための１つおよびＲＲＨ６０４のためのもう一方）の重複が、ＡＣＫ／ＮＡＫ衝突を回避するために、うまく制御されるかまたは最小化されるような物であり得る。ただし、マクロｅＮＢ６００のＰＵＣＣＨ管理構成１１００中の動的ＰＵＣＣＨ領域１１０３は、ＲＲＨ６０４のＰＵＣＣＨ管理構成１１０１上のｅＮＢ１１１０のための動的ＰＵＣＣＨ領域と干渉し得る。
【００７２】
動的ＰＵＣＣＨ領域間のそのような潜在的衝突および干渉に対処するために、ＲＲＨ６０４のＰＵＣＣＨ構成中のマクロｅＮＢ６００のための動的ＰＵＣＣＨ領域は、それがマクロｅＮＢ６００からの干渉から保護された領域に、ＲＲＨ６０４のための動的ＰＵＣＣＨ領域とのより良い統合のために移動され得る。図１２は、ダウンリンク制御送信とダウンリンクデータ送信とが分離された状態で動作するＨｅｔＮｅｔ送信システムの（マクロｅＮＢ６００の）ＰＵＣＣＨ管理構成１２００と（ＲＲＨ６０４の）ＰＵＣＣＨ管理構成１２０１とを示す図である。ＰＵＣＣＨ管理構成１２００は、半静的ＰＵＣＣＨ領域１２０２から開始し、後ろに、動的ＰＵＣＣＨ領域１２０３、制限されたＰＵＳＣＨ送信領域１２０４、ＰＵＳＣＨ領域１２０５上でのデータ送信、制限されたＰＵＳＣＨ送信領域１２０６の別の予約、動的ＰＵＣＣＨ領域１２０７、および半静的ＰＵＣＣＨ領域１２０８が続く。ＰＵＣＣＨ管理構成１２０１は、ＰＵＳＣＨ領域１２０９中のデータ送信領域から開始し、後ろに、半静的ＰＵＣＣＨ領域１２１０、ＮPUCCH,RRH(1)において開始するＲＲＨ１２１１のための動的ＰＵＣＣＨ領域、ｅＮＢ１２１２のための動的ＰＵＣＣＨ、ＰＵＳＣＨ領域１２１３、ｅＮＢ１２１４のための別の動的ＰＵＣＣＨ領域、ＲＲＨ１２１５のための動的ＰＵＣＣＨ領域、半静的ＰＵＣＣＨ領域１２１６、およびＰＵＳＣＨ領域１２１７が続く。
【００７３】
ｅＮＢ１２１２のための動的ＰＵＣＣＨ領域は、ＵＥ固有またはセル固有パラメータ（オフセットまたは新しい開始インデックス）を導入することによって動的ＰＵＣＣＨ領域１２０３との衝突を回避するように配置される。パラメータがセル固有である場合、このパラメータは専用シグナリングまたはブロードキャストのいずれかを介してノードによって配信され得る。パラメータは、マクロｅＮＢ６００によって配信され得る。代替的に、パラメータは、ＲＲＨ６０４によって配信され得る。制御送信とデータ送信とが分離されたＵＥがパラメータを受信すると、ＵＥは、次いで、パラメータ中で識別されたように位置する動的ＰＵＣＣＨ領域中の低電力非サービングｅＮＢにＰＵＣＣＨ上でＡＣＫ／ＮＡＫを送信することになる。パラメータがオフセットであるとき、ＵＥはＮPUCCH,eNB(1)によって識別されたロケーションで開始し、次いで、ＮPUCCH,eNB(1)値にパラメータのオフセット値を追加する。代替態様では、パラメータが新しい開始インデックスであるとき、ＵＥは、新しいインデックスにおいて開始し、ＮPUCCH,eNB(1)値を無視するか、または値を取得しない。低電力非サービングｅＮＢのための動的ＰＵＣＣＨ領域の得られたロケーションは、サービングｅＮＢのための動的ＰＵＣＣＨ領域との衝突を場合によっては回避することになる。
【００７４】
実装されると、分離ＰＵＣＣＨパラメータにより、低電力非サービングｅＮＢのための２つの動的ＰＵＣＣＨ領域が部分的にまたは完全に重複するようになり得ることに留意されたい。アップリンクオーバーヘッドとダウンリンクスケジューリング制限とのバランスはｅＮＢ実装によって判断される。
【００７５】
本開示の追加の態様では、１つまたは複数のＵＥとの分離された制御送信およびデータ送信の関係にあるサービングｅＮＢはまた、ＰＵＣＣＨ領域管理のための新しいパラメータのほかに、追加のパラメータをシグナリングすることをサポートし得ることにさらに留意されたい。たとえば、別のパラメータにより、非サービングノードのＰＵＣＣＨ管理構成内で半静的ＰＵＣＣＨ領域を効率的な方法で構成することが可能になり得る。さらに別の例では、別の可能なパラメータは、ＨｅｔＮｅｔ  ＣｏＭＰ送信構成中のＵＥのアップリンク動作のために（ダウンリンク共通基準信号（ＣＲＳ：common reference signal）から獲得される、サービングセルの物理セル識別子（ＰＣＩ：physical cell identifier）とは異なり得る）別個のＰＣＩを使用するためにシグナリングし得る。仮想ＰＣＩと呼ばれることがある、新しいシグナリングされたＰＣＩは、制御送信とデータ送信とが分離された状態でサービスされているＵＥのアップリンク動作の統合をより高めることを目的とする。したがって、ＵＥによって使用されるＰＣＩは、ＵＥからアップリンク通信を受信することになるｅＮＢのためのＰＣＩと同じになる。
【００７６】
分離された制御／データ送信構成中のＵＥの観点から、２つの別個のノードとの通信プロセスはもはや完全に透過的でない。ＵＥは、新しいＰＵＣＣＨパラメータを受信する際、制御とデータとが非サービングｅＮＢに送信されるときとの、サービングｅＮＢに制御とデータとを送信するときの送信の差異を発見する。図１３は、本開示の一態様を実装するために実行される例示的なブロックを示す機能ブロック図である。
【００７７】
ブロック１３００において、アップリンク制御チャネルを送信するためのリソース判断(resource determination)に関係する第１のアップリンクパラメータを受信する。図６〜図８に示した要素を参照すると、動作中、ＵＥ６１０などのＵＥは、ｅＮＢ６００またはＲＲＨ６０４などの基地局から制御情報を受信する。制御情報は、ｅＮＢ６００の動的ＰＵＣＣＨ領域が開始するロケーションを含み得る。このロケーションは、概して、ＮPUCCH,eNB(1)として送信される。この情報を使用して、ＵＥ６１０は、ＡＣＫ／ＮＡＫ情報を送るべきリソースを知ることになる。
【００７８】
ブロック１３０１において、アップリンク制御チャネルを送信するためのリソース判断(resource determination)に関係する第２のアップリンクパラメータを受信する。第２のアップリンクパラメータは、非サービング基地局へのＰＵＣＣＨ上の、ＵＥ６１０などのＵＥのＡＣＫ／ＮＡＫをどこに配信すべきかをＵＥに命令し得る。第２のアップリンクパラメータは、新しいロケーションまたは開始インデックスまたはオフセットのいずれかであり得る。この第２のアップリンクパラメータは、サービング基地局の動的ＰＵＣＣＨ領域との衝突を場合によっては回避することになる非サービング基地局へのＡＣＫ／ＮＡＫをスケジュールするためにＵＥ６１０によって使用されることになる。第２のアップリンクパラメータは、いずれかの基地局、たとえば、ｅＮＢ６００またはＲＲＨ６０４によって送信され得る。第２のアップリンクパラメータがセル固有パラメータである場合、第２のアップリンクパラメータはまた、被サービスＵＥが取得するためにセルにわたってブロードキャストされ得る。
【００７９】
ブロック１３０２において、ＵＥは、第１のセルからデータ送信を受信する。ＵＥ６１０などのＵＥは、データを配信するように指定されたセルからデータ送信を受信する。たとえば、ＵＥ６１０は、ｅＮＢ６００またはＲＲＨ６０４のうちの１つからデータ送信を受信し得る。
【００８０】
ブロック１３０３において、ＵＥは、第２のアップリンクパラメータに少なくとも部分的に基づいてアップリンク制御チャネルを送信するためのリソースを判断する。ＵＥ６１０などのＵＥは、それがアップリンク送信をスケジュールするとき、第２のアップリンクパラメータに少なくとも部分的に基づいてアップリンク制御情報のためのリソースを判断することになる。この第２のアップリンクパラメータが新しい開始インデックスとして構成されると、ＵＥ６１０は、ＮPUCCH,eNB(1)を無視するか、またはそれを取得することさえしないことがある。オフセットとして構成されると、ＵＥ６１０はＮPUCCH,eNB(1)で開始し、非サービング基地局のための動的ＰＵＣＣＨ領域との衝突を場合によっては回避することになる新しいロケーションに到達するためにオフセットを追加することになる。
【００８１】
次いで、ブロック１３０４において、ＵＥは、判断されたリソースを使用してアップリンク制御チャネルを送信する。ＵＥ６１０などのＵＥは、サービング基地局のための動的ＰＵＣＣＨ領域と衝突しない動的ＰＵＣＣＨ領域中で非サービング基地局のための制御情報を送信するために、判断されたリソースを使用することになる。
【００８２】
図１４は、本開示の一態様を実装するために実行される例示的なブロックを示す機能ブロック図である。
【００８３】
ブロック１４００において、第１のセルは、アップリンク制御チャネルを受信するためのリソース判断に関係する第１のアップリンクパラメータを送信する。図６〜図８に示した要素を参照すると、動作中、ｅＮＢ６００またはＲＲＨ６０４などの基地局は、制御情報をコンパイルし、それをＵＥ６１０などのＵＥに送信する。制御情報は、ｅＮＢ６００などのサービング基地局の動的ＰＵＣＣＨ領域が開始するロケーションを含み得る。このロケーションは、概して、ＮPUCCH,eNB(1)として送信される。この情報を使用して、ＵＥ６１０は、ＡＣＫ／ＮＡＫ情報を送るべきリソースを知ることになる。
【００８４】
ブロック１４０１において、第１のセルは、少なくとも１つのＵＥに、アップリンク制御チャネルを受信するためのリソース判断に関係する第２のアップリンクパラメータを送信する。第２のアップリンクパラメータは、いずれかの基地局、たとえば、ｅＮＢ６００またはＲＲＨ６０４によって送信され得、ＰＵＣＣＨ上の、非サービング基地局へのそれのＡＣＫ／ＮＡＫをどこに配信すべきかをＵＥ６１０などのＵＥに命令し得る。上記のように、この第２のアップリンクパラメータは、サービング基地局の動的ＰＵＣＣＨ領域との衝突を場合によっては回避することになる非サービング基地局へのＡＣＫ／ＮＡＫをスケジュールするためにＵＥ６１０によって使用されることになる。
【００８５】
ブロック１４０２において、第１のセルはデータ送信を実行する。ｅＮＢ６００またはＲＲＨ６０４のいずれかであり得るＵＥ６１０にデータを送信するように指定された基地局は、エアインターフェースを介してＵＥ６１０にそのデータを送信する。
【００８６】
次いで、ブロック１４０３において、第１のセルは、第２のアップリンクパラメータに少なくとも部分的に基づいてアップリンク制御チャネルを受信するためのリソースを判断する。ＵＥ６１０などのＵＥは、第２のアップリンクパラメータを受信すると、ＵＥがＵＥの制御情報を送るロケーションおよびリソースを判断することになる。第２のアップリンクパラメータが基地局、たとえば、ｅＮＢ６００またはＲＲＨ６０４のいずれかによって送られると、ＵＥは、次いで、そのロケーションおよびリソースが何になるのかを判断することになる。第２のアップリンクパラメータを使用して、送信側基地局は、それがＵＥ６１０から制御情報を受信することを予想するリソースを識別することになる。
【００８７】
ブロック１４０４において、第１のセルは、判断されたリソースを使用してアップリンク制御チャネルを受信する。アップリンク制御情報またはチャネルが送られるリソースが判断されると、ｅＮＢ６００またはＲＲＨ６０４のいずれかの送信側基地局は、ＵＥ６１０などのサービスされるＵＥから制御情報を受信することになる。
【００８８】
図１５は、本開示の一態様に従って構成されたＵＥ１２０を概念的に示すブロック図である。ＵＥ１２０は、ＵＥ１２０の機能を操作し、管理し、制御するために、様々な機能および構成要素を実行するコントローラ／プロセッサ５８０を含む。受信機１５００は、コントローラ／プロセッサ５８０の制御下で、アップリンク制御チャネルを送信するためのリソース判断に関係する第１のアップリンクパラメータを受信するための手段を与える。受信機１５００はまた、アップリンク制御チャネルを送信するためのリソース判断に関係する第２のアップリンクパラメータを受信するための手段と、第１のセルからデータ送信を受信するための手段とを与える。ＵＥ１２０はまた、コントローラ／プロセッサ５８０の制御下で、アップリンク送信スケジューラ１５０１を含む。アップリンク送信スケジューラ１５０１は、送信機１５０２を介して第２のセルに送信されるアップリンク送信を調整するために、アップリンク送信パラメータを使用する。アップリンク送信パラメータは、動的または半静的ＰＵＣＣＨ送信のためのオフセット、動的または半静的ＰＵＣＣＨ送信のための新しいインデックス、ＰＣＩなど、任意の数の様々な値であり得る。少なくとも第２のアップリンクパラメータを使用して、アップリンク送信スケジューラ１５０１は、コントローラ／プロセッサ５８０の制御下で、アップリンク制御チャネルを送信するためのリソースを判断する。これらの構成要素と行為の組合せは、第２のアップリンクパラメータに少なくとも部分的に基づいてアップリンク制御チャネルを送信するためのリソースを判断するための手段を与える。次いで、送信機１５０２は、コントローラ／プロセッサ５８０の制御下で、判断されたリソースを使用してアップリンク制御チャネルを送信し得る。送信機１５０２およびコントローラ／プロセッサ５８０は、判断されたリソースを使用してアップリンク制御チャネルを送信するための手段を与える。
【００８９】
図１６は、本開示の態様による、ＲＲＨまたはマクロｅＮＢとして構成され得るｅＮＢ１１０を概念的に示すブロック図である。ｅＮＢ１１０は、ｅＮＢ１１０の機能を操作し、管理し、制御するために、様々な機能および構成要素を実行するコントローラ／プロセッサ５４０を含む。ｅＮＢ１１０は、いくつかの態様ではマクロｅＮＢとして動作し、または他の態様ではＲＲＨとして動作するように構成され得る。分離制御およびデータ送信構成では、マクロｅＮＢとして構成されると、ｅＮＢ１１０は、関連するＵＥに送信機１６０１を介して制御情報を送信する。そのような分離通信構成においてＲＲＨとして構成されると、ｅＮＢ１１０は、送信機１６０１を介して関連するＵＥにデータのみを送信する。いずれの態様でも、ｅＮＢ１１０の分離アップリンク送信スケジューラ１６００および送信機１６０１は、コントローラ／プロセッサ５４０の制御下で、アップリンク制御チャネルを受信するためのリソース判断に関係する第１のアップリンクパラメータを送信するための手段を与える。構成要素と行為のこの組合せはまた、少なくとも１つのＵＥに、アップリンク制御チャネルを受信するためのリソース判断に関係する第２のアップリンクパラメータを送信するための手段と、データ送信を実行するための手段とを与える。アップリンク送信パラメータは、アップリンク送信パラメータに少なくとも部分的に基づいて、アップリンク情報をどこに送信すべきかをＵＥに命令する。第２のアップリンクパラメータは、アップリンク制御チャネルを受信するためのリソースを判断するために、コントローラ／プロセッサ５４０の制御下で、分離アップリンク送信スケジューラ１６００によって使用される。これらの構成要素と行為の組合せは、第２のアップリンクパラメータに少なくとも部分的に基づいてアップリンク制御チャネルを受信するためのリソースを判断するための手段を与える。次いで、受信機１６０２は、コントローラ／プロセッサ５４０の制御下で、判断されたリソースを使用して、アップリンク制御チャネルを含む、ｅＮＢ１１０に向けられた送信を受信し得る。これらの構成要素と行為の組合せは、判断されたリソースを使用してアップリンク制御チャネルを受信するための手段を与える。
【００９０】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９１】
図１３および図１４の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００９２】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００９３】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９４】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００９５】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９６】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
アップリンク制御チャネルを送信するためのリソース判断に関係する第１のアップリンクパラメータを受信することと、
前記アップリンク制御チャネルを送信するためのリソース判断に関係する第２のアップリンクパラメータを受信することと、
第１のセルからデータ送信を受信することと、
前記第２のアップリンクパラメータに少なくとも部分的に基づいて前記アップリンク制御チャネルを送信するためのリソースを判断することと、
前記判断されたリソースを使用して前記アップリンク制御チャネルを送信することと
を備える、ワイヤレス通信の方法。
［Ｃ２］
前記リソースを判断することが前記第１のアップリンクパラメータにさらに基づく、請求項１に記載の方法。
［Ｃ３］
ダウンリンク制御チャネルを受信することをさらに備える、請求項１に記載の方法。
［Ｃ４］
前記ダウンリンク制御チャネルが第２のセルから受信される、請求項３に記載の方法。
［Ｃ５］
前記リソース判断が、前記ダウンリンク制御チャネルに関連するパラメータにさらに基づく、請求項３に記載の方法。
［Ｃ６］
前記パラメータが、レガシー制御チャネルの開始制御チャネル要素（ＣＣＥ）インデックスと、新しい制御チャネルの開始拡張ＣＣＥインデックスとのうちの１つである、請求項５に記載の方法。
［Ｃ７］
前記アップリンク制御チャネルが少なくともＨ−ＡＲＱ応答を搬送する、請求項１に記載の方法。
［Ｃ８］
前記第１のアップリンクパラメータがブロードキャスト送信を介して受信され、前記第２のアップリンクパラメータがユニキャスト送信を介して受信される、請求項１に記載の方法。
［Ｃ９］
前記リソースの前記判断は、前記アップリンク制御チャネルが前記第２のセルに関連する物理セル識別子（ＰＣＩ）とは別個に構成された仮想セル識別子に基づくときに実行される、請求項３に記載の方法。
［Ｃ１０］
前記第１のセルが前記第２のセルとは別個である、請求項３に記載の方法。
［Ｃ１１］
前記第１のセルが前記第２のセルと同じである、請求項３に記載の方法。
［Ｃ１２］
第１のセルから、アップリンク制御チャネルを受信するためのリソース判断に関係する第１のアップリンクパラメータを送信することと、
前記第１のセルから少なくとも１つのユーザ機器（ＵＥ）に、前記アップリンク制御チャネルを受信するためのリソース判断に関係する第２のアップリンクパラメータを送信することと、
前記第１のセルからのデータ送信を実行することと、
前記第２のアップリンクパラメータに少なくとも部分的に基づいて前記アップリンク制御チャネルを受信するためのリソースを判断することと、
前記判断されたリソースを使用して前記アップリンク制御チャネルを受信することと
を備える、ワイヤレス通信の方法。
［Ｃ１３］
前記リソースを判断することが前記第１のアップリンクパラメータにさらに基づく、請求項１２に記載の方法。
［Ｃ１４］
ダウンリンク制御チャネルを送信することをさらに備える、請求項１２に記載の方法。
［Ｃ１５］
前記ダウンリンク制御チャネルが第２のセルから送信される、請求項１０に記載の方法。
［Ｃ１６］
前記リソース判断が、前記ダウンリンク制御チャネルに関連するパラメータにさらに基づく、請求項１２に記載の方法。
［Ｃ１７］
前記パラメータが、レガシー制御チャネルの開始制御チャネル要素（ＣＣＥ）インデックスと、新しい制御チャネルの開始拡張ＣＣＥインデックスとのうちの１つである、請求項１６に記載の方法。
［Ｃ１８］
前記アップリンク制御チャネルが少なくともＨ−ＡＲＱ応答を搬送する、請求項１２に記載の方法。
［Ｃ１９］
前記第１のアップリンクパラメータがブロードキャストメッセージを介して送信され、前記第２のアップリンクパラメータがユニキャストメッセージを介して送信される、請求項１２に記載の方法。
［Ｃ２０］
前記少なくとも１つのＵＥのために識別された仮想セルを構成することをさらに備え、前記識別された仮想セルが、前記第２のセルに関連する物理セル識別子とは別個に構成された、請求項１５に記載の方法。
［Ｃ２１］
前記第１のセルが前記第２のセルとは別個である、請求項１５に記載の方法。
［Ｃ２２］
前記第１のセルが前記第２のセルと同じである、請求項１５に記載の方法。
［Ｃ２３］
前記第１のアップリンクパラメータと、第２のＵＥのためのダウンリンク制御チャネルに関連するパラメータとに基づいて、前記アップリンク制御チャネルを受信するための第２のリソースを判断することをさらに備える、請求項１２に記載の方法。
［Ｃ２４］
前記判断された第２のリソースが、前記第２のアップリンクパラメータに少なくとも部分的に基づいて判断された前記リソースに直交する、請求項２３に記載の方法。
［Ｃ２５］
アップリンク制御チャネルを送信するためのリソース判断に関係する第１のアップリンクパラメータを受信するための手段と、
前記アップリンク制御チャネルを送信するためのリソース判断に関係する第２のアップリンクパラメータを受信するための手段と、
第１のセルからデータ送信を受信するための手段と、
前記第２のアップリンクパラメータに少なくとも部分的に基づいて前記アップリンク制御チャネルを送信するためのリソースを判断するための手段と、
前記判断されたリソースを使用して前記アップリンク制御チャネルを送信するための手段と
を備える、ワイヤレス通信のために構成された装置。
［Ｃ２６］
前記リソースを判断するための手段が前記第１のアップリンクパラメータにさらに基づく、請求項２５に記載の装置。
［Ｃ２７］
ダウンリンク制御チャネルを受信するための手段をさらに備える、請求項２５に記載の装置。
［Ｃ２８］
前記ダウンリンク制御チャネルが第２のセルから受信される、請求項２７に記載の装置。
［Ｃ２９］
前記リソース判断が、前記ダウンリンク制御チャネルに関連するパラメータにさらに基づく、請求項２７に記載の装置。
［Ｃ３０］
前記パラメータが、レガシー制御チャネルの開始制御チャネル要素（ＣＣＥ）インデックスと、新しい制御チャネルの開始拡張ＣＣＥインデックスとのうちの１つである、請求項２９に記載の装置。
［Ｃ３１］
前記アップリンク制御チャネルが少なくともＨ−ＡＲＱ応答を搬送する、請求項２５に記載の装置。
［Ｃ３２］
前記第１のアップリンクパラメータがブロードキャスト送信を介して受信され、前記第２のアップリンクパラメータがユニキャスト送信を介して受信される、請求項２５に記載の装置。
［Ｃ３３］
前記リソースの前記判断は、前記アップリンク制御チャネルが前記第２のセルに関連する物理セル識別子（ＰＣＩ）とは別個に構成された仮想セル識別子に基づくときに実行される、請求項２７に記載の装置。
［Ｃ３４］
前記第１のセルが前記第２のセルとは別個である、請求項２７に記載の装置。
［Ｃ３５］
前記第１のセルが前記第２のセルと同じである、請求項２７に記載の装置。
［Ｃ３６］
第１のセルから、アップリンク制御チャネルを受信するためのリソース判断に関係する第１のアップリンクパラメータを送信するための手段と、
前記第１のセルから少なくとも１つのユーザ機器（ＵＥ）に、前記アップリンク制御チャネルを受信するためのリソース判断に関係する第２のアップリンクパラメータを送信するための手段と、
前記第１のセルからのデータ送信を実行するための手段と、
前記第２のアップリンクパラメータに少なくとも部分的に基づいて前記アップリンク制御チャネルを受信するためのリソースを判断するための手段と、
前記判断されたリソースを使用して前記アップリンク制御チャネルを受信するための手段と
を備える、ワイヤレス通信のために構成された装置。
［Ｃ３７］
前記リソースを判断するための前記手段が前記第１のアップリンクパラメータにさらに基づく、請求項３６に記載の装置。
［Ｃ３８］
ダウンリンク制御チャネルを送信するための手段をさらに備える、請求項３６に記載の装置。
［Ｃ３９］
前記ダウンリンク制御チャネルが第２のセルから送信される、請求項３６に記載の装置。
［Ｃ４０］
前記リソース判断が、前記ダウンリンク制御チャネルに関連するパラメータにさらに基づく、請求項３６に記載の装置。
［Ｃ４１］
前記パラメータが、レガシー制御チャネルの開始制御チャネル要素（ＣＣＥ）インデックスと、新しい制御チャネルの開始拡張ＣＣＥインデックスとのうちの１つである、請求項４０に記載の装置。
［Ｃ４２］
前記アップリンク制御チャネルが少なくともＨ−ＡＲＱ応答を搬送する、請求項３６に記載の装置。
［Ｃ４３］
前記第１のアップリンクパラメータがブロードキャストメッセージを介して送信され、前記第２のアップリンクパラメータがユニキャストメッセージを介して送信される、請求項３６に記載の装置。
［Ｃ４４］
前記少なくとも１つのＵＥのために識別された仮想セルを構成するための手段をさらに備え、前記識別された仮想セルが、前記第２のセルに関連する物理セル識別子とは別個に構成された、請求項３９に記載の装置。
［Ｃ４５］
前記第１のセルが前記第２のセルとは別個である、請求項３９に記載の装置。
［Ｃ４６］
前記第１のセルが前記第２のセルと同じである、請求項３９に記載の装置。
［Ｃ４７］
前記第１のアップリンクパラメータと、第２のＵＥのためのダウンリンク制御チャネルに関連するパラメータとに基づいて、前記アップリンク制御チャネルを受信するための第２のリソースを判断するための手段をさらに備える、請求項３６に記載の装置。
［Ｃ４８］
前記判断された第２のリソースが、前記第２のアップリンクパラメータに少なくとも部分的に基づいて判断された前記リソースに直交する、請求項４７に記載の装置。
［Ｃ４９］
プログラムコードを記録した非一時的コンピュータ可読媒体を備える、ワイヤレスネットワークにおけるワイヤレス通信のためのコンピュータプログラム製品であって、前記プログラムコードは、
アップリンク制御チャネルを送信するためのリソース判断に関係する第１のアップリンクパラメータを受信するためのプログラムコードと、
前記アップリンク制御チャネルを送信するためのリソース判断に関係する第２のアップリンクパラメータを受信するためのプログラムコードと、
第１のセルからデータ送信を受信するためのプログラムコードと、
前記第２のアップリンクパラメータに少なくとも部分的に基づいて前記アップリンク制御チャネルを送信するためのリソースを判断するためのプログラムコードと、
前記判断されたリソースを使用して前記アップリンク制御チャネルを送信するためのプログラムコードと
を備える、コンピュータプログラム製品。
［Ｃ５０］
前記リソースを判断するための前記プログラムコードが前記第１のアップリンクパラメータにさらに基づく、請求項４９に記載のコンピュータプログラム製品。
［Ｃ５１］
ダウンリンク制御チャネルを受信するためのプログラムコードをさらに備える、請求項４９に記載のコンピュータプログラム製品。
［Ｃ５２］
前記ダウンリンク制御チャネルが第２のセルから受信される、請求項５１に記載のコンピュータプログラム製品。
［Ｃ５３］
前記リソース判断が、前記ダウンリンク制御チャネルに関連するパラメータにさらに基づく、請求項５１に記載のコンピュータプログラム製品。
［Ｃ５４］
前記パラメータが、レガシー制御チャネルの開始制御チャネル要素（ＣＣＥ）インデックスと、新しい制御チャネルの開始拡張ＣＣＥインデックスとのうちの１つである、請求項５３に記載のコンピュータプログラム製品。
［Ｃ５５］
前記アップリンク制御チャネルが少なくともＨ−ＡＲＱ応答を搬送する、請求項４９に記載のコンピュータプログラム製品。
［Ｃ５６］
前記第１のアップリンクパラメータがブロードキャスト送信を介して受信され、前記第２のアップリンクパラメータがユニキャスト送信を介して受信される、請求項４９に記載のコンピュータプログラム製品。
［Ｃ５７］
前記リソースの前記判断は、前記アップリンク制御チャネルが前記第２のセルに関連する物理セル識別子（ＰＣＩ）とは別個に構成された仮想セル識別子に基づくときに実行される、請求項５１に記載のコンピュータプログラム製品。
［Ｃ５８］
前記第１のセルが前記第２のセルとは別個である、請求項５１に記載のコンピュータプログラム製品。
［Ｃ５９］
前記第１のセルが前記第２のセルと同じである、請求項５１に記載のコンピュータプログラム製品。
［Ｃ６０］
プログラムコードを記録した非一時的コンピュータ可読媒体を備える、ワイヤレスネットワークにおけるワイヤレス通信のためのコンピュータプログラム製品であって、前記プログラムコードは、
第１のセルから、アップリンク制御チャネルを受信するためのリソース判断に関係する第１のアップリンクパラメータを送信するためのプログラムコードと、
前記第１のセルから少なくとも１つのユーザ機器（ＵＥ）に、前記アップリンク制御チャネルを受信するためのリソース判断に関係する第２のアップリンクパラメータを送信するためのプログラムコードと、
前記第１のセルからのデータ送信を実行するためのプログラムコードと、
前記第２のアップリンクパラメータに少なくとも部分的に基づいて前記アップリンク制御チャネルを受信するためのリソースを判断するためのプログラムコードと、
前記判断されたリソースを使用して前記アップリンク制御チャネルを受信するためのプログラムコードと
を備える、コンピュータプログラム製品。
［Ｃ６１］
前記リソースを判断するための前記プログラムコードが前記第１のアップリンクパラメータにさらに基づく、請求項６０に記載のコンピュータプログラム製品。
［Ｃ６２］
ダウンリンク制御チャネルを送信するためのプログラムコードをさらに備える、請求項６０に記載のコンピュータプログラム製品。
［Ｃ６３］
前記ダウンリンク制御チャネルが第２のセルから送信される、請求項６０に記載のコンピュータプログラム製品。
［Ｃ６４］
前記リソース判断が、前記ダウンリンク制御チャネルに関連するパラメータにさらに基づく、請求項６０に記載のコンピュータプログラム製品。
［Ｃ６５］
前記パラメータが、レガシー制御チャネルの開始制御チャネル要素（ＣＣＥ）インデックスと、新しい制御チャネルの開始拡張ＣＣＥインデックスとのうちの１つである、請求項６４に記載のコンピュータプログラム製品。
［Ｃ６６］
前記アップリンク制御チャネルが少なくともＨ−ＡＲＱ応答を搬送する、請求項６０に記載のコンピュータプログラム製品。
［Ｃ６７］
前記第１のアップリンクパラメータがブロードキャストメッセージを介して送信され、前記第２のアップリンクパラメータがユニキャストメッセージを介して送信される、請求項６０に記載のコンピュータプログラム製品。
［Ｃ６８］
前記少なくとも１つのＵＥのために識別された仮想セルを構成するためのプログラムコードをさらに備え、前記識別された仮想セルが、前記第２のセルに関連する物理セル識別子とは別個に構成された、請求項６３に記載のコンピュータプログラム製品。
［Ｃ６９］
前記第１のセルが前記第２のセルとは別個である、請求項６３に記載のコンピュータプログラム製品。
［Ｃ７０］
前記第１のセルが前記第２のセルと同じである、請求項６３に記載のコンピュータプログラム製品。
［Ｃ７１］
前記第１のアップリンクパラメータと、第２のＵＥのためのダウンリンク制御チャネルに関連するパラメータとに基づいて、前記アップリンク制御チャネルを受信するための第２のリソースを判断するためのプログラムコードをさらに備える、請求項６０に記載のコンピュータプログラム製品。
［Ｃ７２］
前記判断された第２のリソースが、前記第２のアップリンクパラメータに少なくとも部分的に基づいて判断された前記リソースに直交する、請求項７１に記載のコンピュータプログラム製品。
［Ｃ７３］
少なくとも１つのプロセッサと、
前記少なくとも１つのプロセッサに結合されたメモリと
を備える、ワイヤレス通信のために構成された装置であって、
前記少なくとも１つのプロセッサは、
アップリンク制御チャネルを送信するためのリソース判断に関係する第１のアップリンクパラメータを受信することと、
前記アップリンク制御チャネルを送信するためのリソース判断に関係する第２のアップリンクパラメータを受信することと、
第１のセルからデータ送信を受信することと、
前記第２のアップリンクパラメータに少なくとも部分的に基づいて前記アップリンク制御チャネルを送信するためのリソースを判断することと、
前記判断されたリソースを使用して前記アップリンク制御チャネルを送信するためのプログラムコードと
を行うように構成された、装置。
［Ｃ７４］
前記リソースを判断するための、前記少なくとも１つのプロセッサの前記構成が前記第１のアップリンクパラメータにさらに基づく、請求項７３に記載の装置。
［Ｃ７５］
前記少なくとも１つのプロセッサが、ダウンリンク制御チャネルを受信するようにさらに構成された、請求項７３に記載の装置。
［Ｃ７６］
前記ダウンリンク制御チャネルが第２のセルから受信される、請求項７５に記載の装置。
［Ｃ７７］
前記リソース判断が、前記ダウンリンク制御チャネルに関連するパラメータにさらに基づく、請求項７５に記載の装置。
［Ｃ７８］
前記パラメータが、レガシー制御チャネルの開始制御チャネル要素（ＣＣＥ）インデックスと、新しい制御チャネルの開始拡張ＣＣＥインデックスとのうちの１つである、請求項７７に記載の装置。
［Ｃ７９］
前記アップリンク制御チャネルが少なくともＨ−ＡＲＱ応答を搬送する、請求項７３に記載の装置。
［Ｃ８０］
前記第１のアップリンクパラメータがブロードキャスト送信を介して受信され、前記第２のアップリンクパラメータがユニキャスト送信を介して受信される、請求項７３に記載の装置。
［Ｃ８１］
前記リソースの前記判断は、前記アップリンク制御チャネルが前記第２のセルに関連する物理セル識別子（ＰＣＩ）とは別個に構成された仮想セル識別子に基づくときに実行される、請求項７５に記載の装置。
［Ｃ８２］
前記第１のセルが前記第２のセルとは別個である、請求項７５に記載の装置。
［Ｃ８３］
前記第１のセルが前記第２のセルと同じである、請求項７５に記載の装置。
［Ｃ８４］
少なくとも１つのプロセッサと、
前記少なくとも１つのプロセッサに結合されたメモリと
を備える、ワイヤレス通信のために構成された装置であって、
前記少なくとも１つのプロセッサは、
第１のセルから、アップリンク制御チャネルを受信するためのリソース判断に関係する第１のアップリンクパラメータを送信することと、
前記第１のセルから少なくとも１つのユーザ機器（ＵＥ）に、前記アップリンク制御チャネルを受信するためのリソース判断に関係する第２のアップリンクパラメータを送信することと、
前記第１のセルからのデータ送信を実行することと、
前記第２のアップリンクパラメータに少なくとも部分的に基づいて前記アップリンク制御チャネルを受信するためのリソースを判断することと、
前記判断されたリソースを使用して前記アップリンク制御チャネルを受信することと
を行うように構成された、装置。
［Ｃ８５］
前記リソースを判断するための、前記少なくとも１つのプロセッサの構成が前記第１のアップリンクパラメータにさらに基づく、請求項８４に記載の装置。
［Ｃ８６］
前記少なくとも１つのプロセッサが、ダウンリンク制御チャネルを送信するようにさらに構成された、請求項８４に記載の装置。
［Ｃ８７］
前記ダウンリンク制御チャネルが第２のセルから送信される、請求項８４に記載の装置。
［Ｃ８８］
前記リソース判断が、前記ダウンリンク制御チャネルに関連するパラメータにさらに基づく、請求項８４に記載の装置。
［Ｃ８９］
前記パラメータが、レガシー制御チャネルの開始制御チャネル要素（ＣＣＥ）インデックスと、新しい制御チャネルの開始拡張ＣＣＥインデックスとのうちの１つである、請求項８８に記載の装置。
［Ｃ９０］
前記アップリンク制御チャネルが少なくともＨ−ＡＲＱ応答を搬送する、請求項８７に記載の装置。
［Ｃ９１］
前記第１のアップリンクパラメータがブロードキャストメッセージを介して送信され、前記第２のアップリンクパラメータがユニキャストメッセージを介して送信される、請求項８７に記載の装置。
［Ｃ９２］
前記少なくとも１つのプロセッサが、前記少なくとも１つのＵＥのために識別された仮想セルを構成するようにさらに構成され、前記識別された仮想セルが、前記第２のセルに関連する物理セル識別子とは別個に構成された、請求項８７に記載の装置。
［Ｃ９３］
前記第１のセルが前記第２のセルとは別個である、請求項８７に記載の装置。
［Ｃ９４］
前記第１のセルが前記第２のセルと同じである、請求項８７に記載の装置。
［Ｃ９５］
前記少なくとも１つのプロセッサが、前記第１のアップリンクパラメータと、第２のＵＥのためのダウンリンク制御チャネルに関連するパラメータとに基づいて、前記アップリンク制御チャネルを受信するための第２のリソースを判断するようにさらに構成された、請求項８４に記載の装置。
［Ｃ９６］
前記判断された第２のリソースが、前記第２のアップリンクパラメータに少なくとも部分的に基づいて判断された前記リソースに直交する、請求項９５に記載の装置。
【図１】
0005869136.tif 000002
【図２】
0005869136.tif 000003
【図３】
0005869136.tif 000004
【図４】
0005869136.tif 000005
【図５】
0005869136.tif 000006
【図６】
0005869136.tif 000007
【図７】
0005869136.tif 000008
【図８】
0005869136.tif 000009
【図９】
0005869136.tif 000010
【図１０】
0005869136.tif 000011
【図１１】
0005869136.tif 000012
【図１２】
0005869136.tif 000013
【図１３】
0005869136.tif 000014
【図１４】
0005869136.tif 000015
【図１５】
0005869136.tif 000016
【図１６】
0005869136.tif 000017